(57)【特許請求の範囲】
【請求項１】
互いに交差する長手方向と横方向とを有する吸収体を備えた吸収性本体と、
前記長手方向に伸縮する弾性部材を備え、前記吸収性本体の前記横方向の両側に設けられた一対の防漏壁と、
前記吸収性本体の非肌側に設けられた外層シートと、を備え、
前記吸収性本体の厚さ方向の肌側に液吸収性の吸収パッドを着脱可能なパンツ型使い捨ておむつであって、
前記一対の防漏壁は、少なくとも前記長手方向において前記外層シートの前記横方向の長さが最小となる位置に、厚さ方向の一方側の面同士が接合された接合部をそれぞれ有し、
前記横方向において、前記吸収性本体及び前記防漏壁の長さが最大となるように前記吸収性本体及び前記防漏壁を伸長させたときの、前記最小となる位置における、前記吸収性本体の前記横方向の幅と、前記防漏壁のうち前記吸収性本体の前記横方向の端と前記接合部との間の距離の２倍との合計値は、
前記横方向において、前記吸収パッドの長さが最大となるように前記吸収パッドを伸長させたときの、前記吸収パッドを前記パンツ型使い捨ておむつに挿入したときに前記最小となる位置における前記吸収パッドの前記横方向の幅と、前記吸収パッドの厚さの２倍との合計値よりも大きく、
前記パンツ型使い捨ておむつに前記吸収パッドを挿入したときに、
一対の前記接合部の前記横方向における内側端同士の間隔が、前記吸収パッドの前記横方向の幅よりも狭くなる部分を有し、
前記防漏壁には、前記長手方向に伸縮する防漏壁弾性部材が前記横方向に並んで複数設けられており、
前記横方向において、前記接合部よりも外側に配置された前記防漏壁弾性部材の数は、前記接合部よりも内側に配置された前記防漏壁弾性部材の数よりも多く、
前記外層シートの背側胴回り部には、背側胴回り弾性部材と背側脚回り弾性部材が設けられており、
前記背側胴回り弾性部材は、前記横方向に沿って配置されており、
前記背側脚回り弾性部材は、前記横方向の中央部にて前記横方向に沿って配置された直線部と、前記直線部の前記横方向の両側から前記横方向の外側に向かって湾曲して配置された湾曲部を備え、前記直線部は前記吸収体と重複する部分を有し、
前記直線部における伸長倍率が前記背側胴回り弾性部材の伸長倍率よりも低くなるように前記背側脚回り弾性部材が配置されていることを特徴とするパンツ型使い捨ておむつ。
【請求項２】
請求項１に記載のパンツ型使い捨ておむつであって、
前記吸収パッドは、前記横方向の両側に一対の吸収パッド防漏壁を有し、
前記最小となる位置において、
一対の前記吸収パッド防漏壁の前記横方向における間隔は、
一対の前記接合部の前記横方向における内側端の間隔よりも狭い、ことを特徴とするパンツ型使い捨ておむつ。
【請求項３】
請求項１又は２に記載のパンツ型使い捨ておむつであって、
前記横方向において、前記接合部よりも外側に配置された複数の前記防漏壁弾性部材の前記横方向の間隔よりも、
前記横方向において、前記接合部よりも内側に配置された前記防漏壁弾性部材のうち、最も外側に位置する前記防漏壁弾性部材と、前記接合部よりも外側に配置された前記防漏壁弾性部材のうち、最も内側に位置する前記防漏壁弾性部材との前記横方向の間隔の方が広い、ことを特徴とするパンツ型使い捨ておむつ。
【請求項４】
請求項１〜３のいずれかに記載のパンツ型使い捨ておむつであって、
前記吸収パッドは、液吸収性のパッド吸収体を有し、
前記最小となる位置において、
前記横方向において、前記パッド吸収体の長さが最大となるように前記パッド吸収体を伸長させたときの前記パッド吸収体の幅は、
前記横方向において、前記吸収体の長さが最大となるように前記吸収体を伸長させたときの前記吸収体の幅よりも広い、ことを特徴とするパンツ型使い捨ておむつ。
【請求項５】
請求項４に記載のパンツ型使い捨ておむつであって、
前記パッド吸収体は、前記長手方向における前記吸収パッドの両端部の間の領域に、前記横方向における幅が最も狭くなった幅狭部を有し、
前記長手方向において、前記接合部と前記幅狭部とが重複しており、
前記長手方向における前記接合部の長さは、前記長手方向における前記幅狭部の長さよりも長い、ことを特徴とするパンツ型使い捨ておむつ。
【請求項６】
請求項１〜５のいずれかに記載のパンツ型使い捨ておむつであって、
前記吸収体は、前記長手方向における前記吸収体の両端部の間に括れ部を有し、
前記厚さ方向において、前記一対の接合部は前記吸収体とそれぞれ重複しておらず、
前記横方向において、前記一対の接合部の間隔は、前記吸収体の前記長手方向の両端部における長さよりも短い、ことを特徴とするパンツ型使い捨ておむつ。
【請求項７】
請求項１〜６のいずれかに記載のパンツ型使い捨ておむつであって、
前記吸収性本体の肌側に設けられた内層シートを備え、
前記一対の防漏壁は、
前記長手方向の両端部において、前記内層シートと接合されたエンド接合部を有し、
前記長手方向において、前記接合部と前記エンド接合部との間に、前記防漏壁が前記厚さ方向に接合されていない非接合部を有し、
前記パンツ型使い捨ておむつに前記吸収パッドを挿入したときに、
前記吸収パッドの前記横方向における長さが最も長い部分の少なくとも一部が、前記長手方向において前記非接合部と重複しており、
前記横方向における前記エンド接合部の間隔は、前記吸収パッドの前記横方向における最大長さよりも短い、ことを特徴とするパンツ型使い捨ておむつ。
【請求項８】
請求項１〜７のいずれかに記載のパンツ型使い捨ておむつであって、
前記外層シートの前記長手方向の腹側端部が、前記長手方向の内側に折り返された腹側折り返し部と、前記外層シートの前記長手方向の背側端部が、前記長手方向の内側に折り返された背側折り返し部と、を有し、
前記吸収パッドの前記長手方向の両端の間の距離は、
前記腹側折り返し部の前記長手方向の内側端部と、前記背側折り返し部の前記長手方向の内側端部との間の、前記長手方向における距離よりも短い、ことを特徴とするパンツ型使い捨ておむつ。
【請求項９】
互いに交差する長手方向と横方向とを有する吸収体を備えた吸収性本体と、
前記長手方向に伸縮する弾性部材を備え、前記吸収性本体の前記横方向の両側に設けられた一対の防漏壁と、
前記吸収性本体の非肌側に設けられた外層シートと、を備え、
前記吸収性本体の厚さ方向の肌側に液吸収性の吸収パッドを着脱可能であり、
前記一対の防漏壁は、前記長手方向において前記外層シートの前記横方向の長さが最小となる位置に、厚さ方向の一方側の面同士が接合された接合部をそれぞれ有し、
前記横方向において前記吸収性本体及び前記防漏壁の長さが最大となるように前記吸収性本体及び前記防漏壁を伸長させたときの、前記最小となる位置における、前記吸収性本体の前記横方向の幅と、前記防漏壁のうち前記吸収性本体の前記横方向の端と前記接合部との間の距離の２倍との合計値が、
前記横方向において前記吸収パッドの長さが最大となるように前記吸収パッドを伸長させたときの、装着時に前記最小となる位置における、前記吸収パッドの前記横方向の幅と、前記吸収パッドの厚さの２倍との合計値よりも大きく、
前記吸収パッドを前記パンツ型使い捨ておむつに挿入したときに、一対の前記接合部の前記横方向における内側端同士の間隔が、前記吸収パッドの前記横方向の幅よりも狭くなる部分を有するパンツ型使い捨ておむつを着用者に装着させる、パンツ型使い捨ておむつ装着方法であって、
前記吸収パッドを前記着用者の股間に配置する、吸収パッド配置工程と、
配置された前記吸収パッドの非肌側に前記吸収性本体が重なるように前記パンツ型使い捨ておむつを前記着用者に着用させる、着用工程と、
前記パンツ型使い捨ておむつに前記吸収パッドを挿入する、吸収パッド挿入工程と、を有し、
前記防漏壁には、前記長手方向に伸縮する防漏壁弾性部材が前記横方向に並んで複数設けられており、
前記横方向において、前記接合部よりも外側に配置された前記防漏壁弾性部材の数は、前記接合部よりも内側に配置された前記防漏壁弾性部材の数よりも多く、
前記外層シートの背側胴回り部には、背側胴回り弾性部材と背側脚回り弾性部材が設けられており、
前記背側胴回り弾性部材は、前記横方向に沿って配置されており、
前記背側脚回り弾性部材は、前記横方向の中央部にて前記横方向に沿って配置された直線部と、前記直線部の前記横方向の両側から前記横方向の外側に向かって湾曲して配置された湾曲部を備え、前記直線部は前記吸収体と重複する部分を有し、
前記直線部における伸長倍率が前記背側胴回り弾性部材の伸長倍率よりも低くなるように前記背側脚回り弾性部材が配置されていることを特徴とする、パンツ型使い捨ておむつ装着方法。
【請求項１０】
請求項９に記載のパンツ型使い捨ておむつ装着方法であって、
前記吸収パッドは、前記横方向の両側に一対の吸収パッド防漏壁を有し、
前記最小となる位置において、
一対の前記吸収パッド防漏壁の前記横方向における間隔は、
一対の前記接合部の前記横方向における内側端の間隔よりも狭い、ことを特徴とするパンツ型使い捨ておむつ装着方法。
【請求項１１】
請求項１０に記載のパンツ型使い捨ておむつ装着方法であって、
前記横方向において、前記接合部よりも外側に配置された複数の前記防漏壁弾性部材の前記横方向の間隔よりも、
前記横方向において、前記接合部よりも内側に配置された前記防漏壁弾性部材のうち、最も外側に位置する前記防漏壁弾性部材と、前記接合部よりも外側に配置された前記防漏壁弾性部材のうち、最も内側に位置する前記防漏壁弾性部材との前記横方向の間隔の方が広い、ことを特徴とするパンツ型使い捨ておむつ装着方法。
【請求項１２】
請求項９〜１１のいずれかに記載のパンツ型使い捨ておむつ装着方法であって、
前記吸収パッドは、液吸収性のパッド吸収体を有し、
前記最小となる位置において、
前記横方向において、前記パッド吸収体の長さが最大となるように前記パッド吸収体を伸長させたときの前記パッド吸収体の幅は、
前記横方向において、前記吸収体の長さが最大となるように前記吸収体を伸長させたときの前記吸収体の幅よりも広い、ことを特徴とするパンツ型使い捨ておむつ装着方法。
【請求項１３】
請求項１２に記載のパンツ型使い捨ておむつ装着方法であって、
前記パッド吸収体は、前記長手方向における前記吸収パッドの両端部の間の領域に、前記横方向における幅が最も狭くなった幅狭部を有し、
前記長手方向において、前記接合部と前記幅狭部とが重複しており、
前記長手方向における前記接合部の長さは、前記長手方向における前記幅狭部の長さよりも長い、ことを特徴とするパンツ型使い捨ておむつ装着方法。
【請求項１４】
請求項９〜１３のいずれかに記載のパンツ型使い捨ておむつ装着方法であって、
前記吸収体は、前記長手方向における前記吸収体の両端部の間に括れ部を有し、
前記厚さ方向において、前記一対の接合部は前記吸収体とそれぞれ重複しておらず、
前記横方向において、前記一対の接合部の間隔は、前記吸収体の前記長手方向の両端部における長さよりも短い、ことを特徴とするパンツ型使い捨ておむつ装着方法。
【発明の詳細な説明】
【技術分野】
【０００１】
本発明は、パンツ型使い捨ておむつ、及び、パンツ型使い捨ておむつ装着方法に関する。
【背景技術】
【０００２】
従来、パンツ型の使い捨ておむつが使用されている。一般的なパンツ型の使い捨ておむつは、展開状態において、長手方向と幅方向とを有し排泄物を吸収する吸収体を備えた吸収性本体が設けられている。そして、該吸収性本体の幅方向の両側には、吸収体によって吸収された排泄物がおむつの外側に漏れることを防止する防漏壁部が着用者の脚回りに沿って設けられる。例えば、特許文献１には、本体（吸収性本体）の両側に防漏カフ（防漏壁部）が設けられ、着用時において着用者の大腿部に当てられる領域である中間部において当該防漏カフの起立可能長さを短くすることにより、防漏カフが外部（おむつの側方）にはみ出しにくく、横漏れを防止しやすい使い捨ておむつが開示されている。
【先行技術文献】
【特許文献】
【０００３】
【特許文献１】特開２００５−２１８８７６号
【発明の概要】
【発明が解決しようとする課題】
【０００４】
使い捨ておむつを使用する際に、おむつの内側（肌側）に別体の吸収パッドを重ねて使用する場合がある。着用者の身体とおむつとの間に吸収パッドを入れることで、排泄が行われた際に、おむつの着脱をすることなく吸収パッドだけを交換することが可能となるため、交換の負荷が大きく低減できる。しかし、パンツ型使い捨ておむつにおいては、おむつ内で吸収パッドの位置がずれないように配置した状態で着用者に着用させることが難しく、吸収パッドの位置ずれにより、排泄物の漏れが生じるおそれがある。また、特許文献１のような防漏壁部を有するパンツ型おむつに吸収パッドを重ねようとすると、防漏壁部の上に吸収パッドが覆い被さるように配置されることによって、防漏壁部が機能しなくなり、排泄物が着衣側に漏出してしまう等の問題があった。
【０００５】
本発明は、上記のような従来の問題に鑑みてなされたものであって、その目的は、防漏壁を有するパンツ型使い捨ておむつに吸収パッドを重ねて使用する際に、吸収パッドの位置ずれを生じにくくすると共に、排泄物がおむつの外部に漏れてしまうことを抑制する。
【課題を解決するための手段】
【０００６】
上記目的を達成するための主たる発明は、互いに交差する長手方向と横方向とを有する吸収体を備えた吸収性本体と、前記長手方向に伸縮する弾性部材を備え、前記吸収性本体の前記横方向の両側に設けられた一対の防漏壁と、前記吸収性本体の非肌側に設けられた外層シートと、を備え、前記吸収性本体の厚さ方向の肌側に液吸収性の吸収パッドを着脱可能なパンツ型使い捨ておむつであって、前記一対の防漏壁は、少なくとも前記長手方向において前記外層シートの前記横方向の長さが最小となる位置に、厚さ方向の一方側の面同士が接合された接合部をそれぞれ有し、前記横方向において、前記吸収性本体及び前記防漏壁の長さが最大となるように前記吸収性本体及び前記防漏壁を伸長させたときの、前記最小となる位置における、前記吸収性本体の前記横方向の幅と、前記防漏壁のうち前記吸収性本体の前記横方向の端と前記接合部との間の距離の２倍との合計値は、前記横方向において、前記吸収パッドの長さが最大となるように前記吸収パッドを伸長させたときの、前記横方向において、前記吸収パッドの長さが最大となるように前記吸収パッドを伸長させたときの、前記吸収パッドを前記パンツ型使い捨ておむつに挿入したときに前記最小となる位置における前記吸収パッドの前記横方向の幅と、前記吸収パッドの厚さの２倍との合計値よりも大きく、前記パンツ型使い捨ておむつに前記吸収パッドを挿入したときに、一対の前記接合部の前記横方向における内側端同士の間隔が、前記吸収パッドの前記横方向の幅よりも狭くなる部分を有し、前記防漏壁には、前記長手方向に伸縮する防漏壁弾性部材が前記横方向に並んで複数設けられており、前記横方向において、前記接合部よりも外側に配置された前記防漏壁弾性部材の数は、前記接合部よりも内側に配置された前記防漏壁弾性部材の数よりも多く、前記外層シートの背側胴回り部には、背側胴回り弾性部材と背側脚回り弾性部材が設けられており、前記背側胴回り弾性部材は、前記横方向に沿って配置されており、前記背側脚回り弾性部材は、前記横方向の中央部にて前記横方向に沿って配置された直線部と、前記直線部の前記横方向の両側から前記横方向の外側に向かって湾曲して配置された湾曲部を備え、前記直線部は前記吸収体と重複する部分を有し、前記直線部における伸長倍率が前記背側胴回り弾性部材の伸長倍率よりも低くなるように前記背側脚回り弾性部材が配置されていることを特徴とするパンツ型使い捨ておむつである。
本発明の他の特徴については、本明細書及び添付図面の記載により明らかにする。
【発明の効果】
【０００７】
本発明によれば、防漏壁を有するパンツ型使い捨ておむつに吸収パッドを重ねて使用する際に、吸収パッドの位置ずれを生じにくくすると共に、排泄物がおむつの外部に漏れてしまうことを抑制することができる。
【図面の簡単な説明】
【０００８】
【図１】展開且つ伸長状態であるおむつ１の平面図である。
【図２】おむつ１を腹側から見た概略斜視図である。
【図３】図３Ａは、図１中のＡ−Ａ概略断面図である。図３Ｂは、図１Ａ中のＢ−Ｂ概略断面図である。図３Ｃは、図１Ａ中のＣ−Ｃ概略断面図である。
【図４】展開且つ伸長状態である防漏壁５０の平面図である。
【図５】図３Ｃの領域Ｄについて拡大して表す概略断面図である。
【図６】図６Ａは、排泄が行われる前のおむつ１の着用状態について説明する図である。図６Ｂは、排泄が行われた後のおむつ１の着用状態について説明する図である。
【図７】展開且つ伸長状態である吸収パッド１００の平面図である。
【図８】図８Ａは、図７中のＥ−Ｅ概略断面図である。図８Ｂは、図７中のＦ−Ｆ概略断面図である。
【図９】おむつ１の装着動作について説明する図である。
【図１０】吸収パッド１００を挿入した状態におけるおむつ１の概略断面図である。
【図１１】吸収性本体１０及び防漏壁５０及び吸収パッド１００を横方向に伸長させたとき状態を表す図である。
【図１２】おむつ１に吸収パッド１００を挿入した状態における、おむつ１と吸収パッド１００との位置関係について説明する概略平面図である。
【発明を実施するための形態】
【０００９】
本明細書及び添付図面の記載により、少なくとも以下の事項が明らかとなる。
互いに交差する長手方向と横方向とを有する吸収体を備えた吸収性本体と、前記長手方向に伸縮する弾性部材を備え、前記吸収性本体の前記横方向の両側に設けられた一対の防漏壁と、前記吸収性本体の非肌側に設けられた外層シートと、を備え、前記吸収性本体の厚さ方向の肌側に液吸収性の吸収パッドを着脱可能なパンツ型使い捨ておむつであって、前記一対の防漏壁は、少なくとも前記長手方向において前記外層シートの前記横方向の長さが最小となる位置に、厚さ方向の一方側の面同士が接合された接合部をそれぞれ有し、前記横方向において、前記吸収性本体及び前記防漏壁の長さが最大となるように前記吸収性本体及び前記防漏壁を伸長させたときの、前記最小となる位置における、前記吸収性本体の前記横方向の幅と、前記防漏壁のうち前記吸収性本体の前記横方向の端と前記接合部との間の距離の２倍との合計値は、前記横方向において、前記吸収パッドの長さが最大となるように前記吸収パッドを伸長させたときの、前記横方向において、前記吸収パッドの長さが最大となるように前記吸収パッドを伸長させたときの、前記吸収パッドを前記パンツ型使い捨ておむつに挿入したときに前記最小となる位置における前記吸収パッドの前記横方向の幅と、前記吸収パッドの厚さの２倍との合計値よりも大きく、前記パンツ型使い捨ておむつに前記吸収パッドを挿入したときに、一対の前記接合部の前記横方向における内側端同士の間隔が、前記吸収パッドの前記横方向の幅よりも狭くなる部分を有する、ことを特徴とするパンツ型使い捨ておむつ。
【００１０】
このようなパンツ型使い捨ておむつによれば、吸収パッドを重ねて使用する際に、防漏壁の接合部と吸収性本体の肌側面との間のスペースに吸収パッドの横方向両端部を収容することが可能であり、防漏壁に干渉したり防漏壁の上に覆い被さったりすることなく吸収パッドを挿入することができる。また、挿入された吸収パッドは、防漏壁の接合部によって厚さ方向に押さえられ保持されることから、吸収パッドが離脱してしまうことが抑制される。これにより、吸収パッドの位置ずれを生じにくくすると共に、防漏壁本来の機能によって、排泄物がおむつの外側に漏れてしまうことを抑制することができる。
【００１１】
かかるパンツ型使い捨ておむつであって、前記吸収パッドは、前記横方向の両側に一対の吸収パッド防漏壁を有し、前記最小となる位置において、一対の前記吸収パッド防漏壁の前記横方向における間隔は、一対の前記接合部の前記横方向における内側端の間隔よりも狭い、ことが望ましい。
【００１２】
このようなパンツ型使い捨ておむつによれば、吸収性本体に設けられた一対の防漏壁の間に、吸収パッドの防漏壁が起立して配置されるため、横方向に２重の防漏壁が設けられる配置となる。これにより、排泄物がパンツ型使い捨ておむつの外部に漏出することを抑制しやすくなる。また、吸収パッドの防漏壁の横方向両側に位置する吸収性本体防漏壁によって、吸収パッドの防漏壁が横方向の外側に過度に広がることが抑制され、防漏壁の位置ずれも生じにくくなる。これにより、良好なフィット性が確保される。
【００１３】
かかるパンツ型使い捨ておむつであって、前記防漏壁には、前記長手方向に伸縮する防漏壁弾性部材が前記横方向に並んで複数設けられており、前記横方向において、前記接合部よりも外側に配置された前記防漏壁弾性部材の数は、前記接合部よりも内側に配置された前記防漏壁弾性部材の数よりも多い、ことが望ましい。
【００１４】
このようなパンツ型使い捨ておむつによれば、防漏壁のうち、接合部よりも横方向外側の剛性が低い領域に弾性部材を多く配置することにより、当該領域が着用者の凹凸に応じた曲面を形成しやすくなり、着用者の肌に対するフィット性が向上する。また、複数の弾性部材を設けることで、防漏壁に作用する収縮力（圧力）が一か所に集中しにくくなり、パンツ型使い捨ておむつの付け心地が悪化するのを抑制できる。
【００１５】
かかるパンツ型使い捨ておむつであって、前記横方向において、前記接合部よりも外側に配置された複数の前記防漏壁弾性部材の前記横方向の間隔よりも、前記横方向において、前記接合部よりも内側に配置された前記防漏壁弾性部材のうち、最も外側に位置する前記防漏壁弾性部材と、前記接合部よりも外側に配置された前記防漏壁弾性部材のうち、最も内側に位置する前記防漏壁弾性部材との前記横方向の間隔の方が広い、ことが望ましい。
【００１６】
このようなパンツ型使い捨ておむつによれば、吸収パッドをおむつ１に挿入する際に、接合部よりも内側の防漏壁弾性部材と、前記接合部よりも外側の防漏壁弾性部材との間隔が広いため、当該間隔が広い部分に指を引っ掛けて、防漏壁（接合部）を吸収パッドの肌側に引き出す動作を行いやすくなる。これにより、吸収パッドを正確に挿入しやすくなり、排泄物の漏れ等が抑制される。
【００１７】
かかるパンツ型使い捨ておむつであって、前記吸収パッドは、液吸収性のパッド吸収体を有し、前記最小となる位置において、前記横方向において、前記パッド吸収体の長さが最大となるように前記パッド吸収体を伸長させたときの前記パッド吸収体の幅は、前記横方向において、前記吸収体の長さが最大となるように前記吸収体を伸長させたときの前記吸収体の幅よりも広い、ことが望ましい。
【００１８】
このようなパンツ型使い捨ておむつによれば、パッド吸収体を用いずにパンツ型使い捨ておむつを使用する場合と比較して、排泄物等の吸収容量を大きくすることが可能であり、おむつ交換のインターバルをより長くすることができる。また、防漏壁に設けられた接合部によって、吸収性本体が下方に垂れ下がりにくい構造を有していることにより、排泄物を吸収して重くなった場合であってもパッド吸収体が下方に垂れ下がりにくく、フィット性が悪化しにくい。
【００１９】
かかるパンツ型使い捨ておむつであって、前記吸収パッドは、液吸収性のパッド吸収体を有し、前記最小となる位置において、前記横方向において、前記パッド吸収体の長さが最大となるように前記パッド吸収体を伸長させたときの前記パッド吸収体の幅は、前記横方向において、前記吸収体の長さが最大となるように前記吸収体を伸長させたときの前記吸収体の幅よりも広い、ことが望ましい。
【００２０】
このようなパンツ型使い捨ておむつによれば、パッド吸収体を用いずにパンツ型使い捨ておむつを使用する場合と比較して、排泄物等の吸収容量を大きくすることが可能である。また、排泄が行われた際には、おむつ自体を交換することなく吸収パッドのみを交換すれば良いので、交換簡便性を向上させることができるとともに、おむつ交換のインターバルを長くすることができる。さらに、防漏壁に設けられた接合部によって、吸収性本体が下方に垂れ下がりにくい構造を有していることにより、排泄物を吸収して重くなった場合であってもパッド吸収体が下方に垂れ下がりにくく、フィット性が悪化しにくい。
【００２１】
かかるパンツ型使い捨ておむつであって、前記パッド吸収体は、前記長手方向における前記吸収パッドの両端部の間の領域に、前記横方向における幅が最も狭くなった幅狭部を有し、前記長手方向において、前記接合部と前記幅狭部とが重複しており、前記長手方向における前記接合部の長さは、前記長手方向における前記幅狭部の長さよりも長い、ことが望ましい。
【００２２】
このようなパンツ型使い捨ておむつによれば、着用者の股下部のうち幅狭部が形成されている領域において防漏壁の接合部の間に吸収パッドをしっかりと保持することが可能であり、吸収パッドの位置ずれ等が生じにくく排泄物の漏れが生じにくくなる。さらに、吸収パッドを挿入する際に、該吸収パッドとおむつとの間に長手方向の位置ずれが発生した場合であっても、吸収パッドをおむつにしっかりと挿入することが可能となる。
【００２３】
かかるパンツ型使い捨ておむつであって、前記吸収体は、前記長手方向における前記吸収体の両端部の間に括れ部を有し、前記厚さ方向において、前記一対の接合部は前記吸収体とそれぞれ重複しておらず、前記横方向において、前記一対の接合部の間隔は、前記吸収体の前記長手方向の両端部における長さよりも短い、ことが望ましい。
【００２４】
このようなパンツ型使い捨ておむつによれば、吸収体の括れ部内の領域に接合部が形成されることにより、当該領域において接合部によって防漏壁が折り重ねられ、防漏壁の起立高さが高くなり過ぎないようにすることができる。また、接合部が吸収体と重複していないことにより、着用時において剛性の高い接合部が着用者の身体（肌側）に押し付けられにくくなり、おむつ着用時における肌触りの悪化を抑制できる。
【００２５】
かかるパンツ型使い捨ておむつであって、前記吸収性本体の肌側に設けられた内層シートを備え、前記一対の防漏壁は、前記長手方向の両端部において、前記内層シートと接合されたエンド接合部を有し、前記長手方向において、前記接合部と前記エンド接合部との間に、前記防漏壁が前記厚さ方向に接合されていない非接合部を有し、前記パンツ型使い捨ておむつに前記吸収パッドを挿入したときに、前記吸収パッドの前記横方向における長さが最も長い部分の少なくとも一部が、前記長手方向において前記非接合部と重複しており、前記横方向における前記エンド接合部の間隔は、前記吸収パッドの前記横方向における最大長さよりも短い、ことが望ましい。
【００２６】
このようなパンツ型使い捨ておむつによれば、防漏壁のうち剛性が低く変形しやすい非接合部がポケットのように作用することで、吸収パッドの横幅が最も広い部分をすっぽりと収容することが可能となる。また、エンド接合部の間隔が狭いことにより、吸収パッドの位置が長手方向にずれた場合であっても、吸収パッドの横幅が最も広い部分が当該エンド接合部に引っかかるため、吸収パッドの長手方向における位置ずれを抑制しやすくなる。
【００２７】
かかるパンツ型使い捨ておむつであって、前記外層シートの前記長手方向の腹側端部が、前記長手方向の内側に折り返された腹側折り返し部と、前記外層シートの前記長手方向の背側端部が、前記長手方向の内側に折り返された背側折り返し部と、を有し、前記吸収パッドの前記長手方向の両端の間の距離は、前記腹側折り返し部の前記長手方向の内側端部と、前記背側折り返し部の前記長手方向の内側端部との間の、前記長手方向における距離よりも短い、ことが望ましい。
【００２８】
このようなパンツ型使い捨ておむつによれば、吸収パッドの位置が長手方向の腹側若しくは背側にずれた場合であっても、吸収パッドの長手方向端部が、外装シートの折り返し部と内層シートとの間に形成される隙間（ドライエッジ）に引っかかるため、吸収パッドの長手方向への位置ずれが止められる。これにより、おむつ着用時において吸収パッドがおむつの長手方向端部からはみ出してしまうことが抑制される。
【００２９】
また、互いに交差する長手方向と横方向とを有する吸収体を備えた吸収性本体と、前記長手方向に伸縮する弾性部材を備え、前記吸収性本体の前記横方向の両側に設けられた一対の防漏壁と、前記吸収性本体の非肌側に設けられた外層シートと、を備え、前記吸収性本体の厚さ方向の肌側に液吸収性の吸収パッドを着脱可能であり、前記一対の防漏壁は、前記長手方向において前記外層シートの前記横方向の長さが最小となる位置に、厚さ方向の一方側の面同士が接合された接合部をそれぞれ有し、前記横方向において前記吸収性本体及び前記防漏壁の長さが最大となるように前記吸収性本体及び前記防漏壁を伸長させたときの、前記最小となる位置における、前記吸収性本体の前記横方向の幅と、前記防漏壁のうち前記吸収性本体の前記横方向の端と前記接合部との間の距離の２倍との合計値が、前記横方向において前記吸収パッドの長さが最大となるように前記吸収パッドを伸長させたときの、前記吸収パッドを前記パンツ型使い捨ておむつに挿入したときに前記最小となる位置における、前記吸収パッドの前記横方向の幅と、前記吸収パッドの厚さの２倍との合計値よりも大きく、前記吸収パッドを挿入したときに、一対の前記接合部の前記横方向における内側端同士の間隔が、前記吸収パッドの前記横方向の幅よりも狭くなる部分を有するパンツ型使い捨ておむつを着用者に装着させる、パンツ型使い捨ておむつ装着方法であって、前記吸収パッドを前記着用者の股間に配置する、吸収パッド配置工程と、配置された前記吸収パッドの非肌側に前記吸収性本体が重なるように前記パンツ型使い捨ておむつを前記着用者に着用させる、着用工程と、前記パンツ型使い捨ておむつに前記吸収パッドを挿入する、吸収パッド挿入工程と、を有することを特徴とする、パンツ型使い捨ておむつ装着方法が明らかとなる。
【００３０】
このようなパンツ型使い捨ておむつ装着方法によれば、着用者の身体の排泄口等の位置に対して吸収パッドの位置を調整しやすく、おむつの装着時において吸収パッドから排泄物が漏出することが抑制される。また、吸収性本体に設けられた防漏壁と吸収パッドとが干渉することなくおむつに吸収パッドを挿入することができるため、該吸収パッドの挿入が容易であり、おむつを着用する際に良好なフィット性が確保される。
【００３１】
かかるパンツ型使い捨ておむつ装着方法であって、前記吸収パッドは、前記横方向の両側に一対の吸収パッド防漏壁を有し、前記最小となる位置において、一対の前記吸収パッド防漏壁の前記横方向における間隔は、一対の前記接合部の前記横方向における内側端の間隔よりも狭い、ことが望ましい。
【００３２】
このようなパンツ型使い捨ておむつ装着方法によれば、吸収性本体に設けられた一対の防漏壁の間に、吸収パッドの防漏壁が起立して配置されるため、横方向に２重の防漏壁が設けられる配置となる。これにより、排泄物がパンツ型使い捨ておむつの外部に漏出することを抑制しやすくなる。また、吸収パッドの防漏壁の横方向両側に位置する吸収性本体防漏壁によって、吸収パッドの防漏壁が横方向の外側に過度に広がることが抑制され、防漏壁の位置ずれも生じにくくなる。これにより、良好なフィット性が確保される。
【００３３】
かかるパンツ型使い捨ておむつ装着方法であって、前記防漏壁には、前記長手方向に伸縮する防漏壁弾性部材が前記横方向に並んで複数設けられており、前記横方向において、前記接合部よりも外側に配置された前記防漏壁弾性部材の数は、前記接合部よりも内側に配置された前記防漏壁弾性部材の数よりも多い、ことが望ましい。
【００３４】
このようなパンツ型使い捨ておむつ装着方法によれば、防漏壁のうち、接合部よりも横方向外側の剛性が低い領域に弾性部材を多く配置することにより、当該領域が着用者の凹凸に応じた曲面を形成しやすくなり、着用者の肌に対するフィット性が向上する。また、複数の弾性部材を設けることで、防漏壁に作用する収縮力（圧力）が一か所に集中しにくくなり、パンツ型使い捨ておむつの付け心地が悪化するのを抑制できる。
【００３５】
かかるパンツ型使い捨ておむつ装着方法であって、前記横方向において、前記接合部よりも外側に配置された複数の前記防漏壁弾性部材の前記横方向の間隔よりも、前記横方向において、前記接合部よりも内側に配置された前記防漏壁弾性部材のうち、最も外側に位置する前記防漏壁弾性部材と、前記接合部よりも外側に配置された前記防漏壁弾性部材のうち、最も内側に位置する前記防漏壁弾性部材との前記横方向の間隔の方が広い、ことが望ましい。
【００３６】
このようなパンツ型使い捨ておむつ装着方法によれば、吸収パッドをおむつに挿入する際に、接合部よりも内側の防漏壁弾性部材と、前記接合部よりも外側の防漏壁弾性部材との間隔が広いため、当該間隔が広い部分に指を引っ掛けて、防漏壁（接合部）を吸収パッドの肌側に引き出す動作を行いやすくなる。これにより、吸収パッドを正確に挿入しやすくなり、排泄物の漏れ等が抑制される。
【００３７】
かかるパンツ型使い捨ておむつ装着方法であって、前記吸収パッドは、液吸収性のパッド吸収体を有し、前記最小となる位置において、前記横方向において、前記パッド吸収体の長さが最大となるように前記パッド吸収体を伸長させたときの前記パッド吸収体の幅は、前記横方向において、前記吸収体の長さが最大となるように前記吸収体を伸長させたときの前記吸収体の幅よりも広い、ことが望ましい。
【００３８】
このようなパンツ型使い捨ておむつ装着方法によれば、パッド吸収体を用いずにパンツ型使い捨ておむつを使用する場合と比較して、排泄物等の吸収容量を大きくすることが可能であり、おむつ交換のインターバルをより長くすることができる。また、防漏壁に設けられた接合部によって、吸収性本体が下方に垂れ下がりにくい構造を有していることにより、排泄物を吸収して重くなった場合であってもパッド吸収体が下方に垂れ下がりにくく、フィット性が悪化しにくい。
【００３９】
かかるパンツ型使い捨ておむつ装着方法であって、前記吸収パッドは、液吸収性のパッド吸収体を有し、前記最小となる位置において、前記横方向において、前記パッド吸収体の長さが最大となるように前記パッド吸収体を伸長させたときの前記パッド吸収体の幅は、前記横方向において、前記吸収体の長さが最大となるように前記吸収体を伸長させたときの前記吸収体の幅よりも広い、ことが望ましい。
【００４０】
このようなパンツ型使い捨ておむつ装着方法によれば、パッド吸収体を用いずにパンツ型使い捨ておむつを使用する場合と比較して、排泄物等の吸収容量を大きくすることが可能であり、おむつ交換のインターバルをより長くすることができる。また、防漏壁に設けられた接合部によって、吸収性本体が下方に垂れ下がりにくい構造を有していることにより、排泄物を吸収して重くなった場合であってもパッド吸収体が下方に垂れ下がりにくく、フィット性が悪化しにくい。
【００４１】
かかるパンツ型使い捨ておむつ装着方法であって、前記パッド吸収体は、前記長手方向における前記吸収パッドの両端部の間の領域に、前記横方向における幅が最も狭くなった幅狭部を有し、前記長手方向において、前記接合部と前記幅狭部とが重複しており、前記長手方向における前記接合部の長さは、前記長手方向における前記幅狭部の長さよりも長い、ことが望ましい。
【００４２】
このようなパンツ型使い捨ておむつ装着方法によれば、着用者の股下部のうち幅狭部が形成されている領域において防漏壁の接合部の間に吸収パッドをしっかりと保持することが可能であり、吸収パッドの位置ずれ等が生じにくく排泄物の漏れが生じにくくなる。さらに、吸収パッドを挿入する際に、該吸収パッドとおむつとの間に長手方向の位置ずれが発生した場合であっても、吸収パッドをおむつにしっかりと挿入することが可能となる。
【００４３】
かかるパンツ型使い捨ておむつ装着方法であって、前記吸収体は、前記長手方向における前記吸収体の両端部の間に括れ部を有し、前記厚さ方向において、前記一対の接合部は前記吸収体とそれぞれ重複しておらず、前記横方向において、前記一対の接合部の間隔は、前記吸収体の前記長手方向の両端部における長さよりも短い、ことが望ましい。
【００４４】
このようなパンツ型使い捨ておむつ装着方法によれば、吸収体の括れ部内の領域に接合部が形成されることにより、当該部分において接合部によって防漏壁が折り重ねられ、防漏壁の起立高さが高くなり過ぎないようにすることができる。また、接合部が吸収体と重複していないことにより、着用時において剛性の高い接合部が着用者の身体（肌側）に押し付けられにくくなり、おむつ着用時における肌触りの悪化を抑制できる。
【００４５】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、展開且つ伸長状態であるおむつ１の平面図である。図２は、おむつ１を腹側から見た概略斜視図である。図３Ａは、図１中のＡ−Ａ概略断面図であり、図３Ｂは、図１Ａ中のＢ−Ｂ概略断面図であり、図３Ｃは、図１Ａ中のＣ−Ｃ概略断面図である。なお、図１における「伸長状態」とは、製品（おむつ１）を皺なく伸長させた状態、具体的には、おむつ１を構成する各部材（例えば、後述するバックシート３０等）の寸法がその部材単体の寸法と一致又はそれに近い長さになるまで伸長した状態のことを言う。
【００４６】
このおむつ１は、図２のパンツ型状態において、互いに直交する三方向として縦方向と横方向と前後方向とを有している。そして、以下では、このパンツ型状態における縦方向の一方側及び他方側のことを、それぞれ「胴回り開口側」及び「股下側」とも言い、また、前後方向の前側及び後側のことを、それぞれ「腹側」及び「背側」とも言う。
【００４７】
一方、図１の展開状態においては、おむつ１は、互いに直交する三方向として長手方向と幅方向とを有している。そして、以下では、この展開状態における長手方向の一方側及び他方側のことを、それぞれ「腹側」及び「背側」とも言う。なお、展開状態における上記の幅方向は、パンツ型状態における上記の横方向と同じ方向である。そのため、以下では、幅方向のことを「横方向」とも言う。また、展開状態の長手方向は、パンツ型状態の縦方向に沿った方向である。また、図３に示すように、縦方向（長手方向）及び横方向（幅方向）と直交する方向を「厚さ方向」とし、着用対象者の肌と当接する側を「肌側」とし、その反対側を「非肌側」とする。
【００４８】
また、おむつ１は、図１に示すように、長手方向において腹側胴回り部３と、背側胴回り部４と、股下部５とを有する。腹側胴回り部３は、おむつ１の着用時において着用者の腹側に位置する部分である。背側胴回り部４は、おむつ１の着用時において着用者の背側に位置する部分である。そして、腹側胴回り部３と背側胴回り部４との間に股下部５が設けられる。
【００４９】
本実施形態のおむつ１は、吸収性本体１０と、トップシート２０と、バックシート３０と、防漏壁５０と、を有する。そして、図１の展開状態から、吸収性本体１０の長手方向（縦方向）の所定位置ＣＬ１０を折り位置として同吸収性本体１０が二つ折りされるとともに、この二つ折りの状態において互いに対向する腹側胴回り部３及び背側胴回り部４が腹側サイドエッジ部３ｅｓ及び背側サイドエッジ部４ｅｓにて溶着等で接合されると、これら胴回り部３，４同士が環状に繋がって、これにより、図２に示すような胴回り開口ＢＨ及び一対の脚回り開口ＬＨ，ＬＨが形成されたパンツ型状態のおむつ１となる。
【００５０】
吸収性本体１０は、尿等の排泄物を吸収する機能を有し、図１に示されるように平面視略長方形をなし、その長手方向をおむつ１の縦方向に沿わせつつ横方向の中央に配置されている。吸収性本体１０は、液体吸収性の吸収体（吸収性コア）１１と、同吸収体１１の外周面を被覆するコアラップシート１２と、を有する。また、吸収性本体１０の横方向の両側には、防漏壁５０が設けられている。防漏壁５０の詳細については後で説明する。
【００５１】
吸収体１１は、パルプ繊維等の液体吸収性繊維を所定形状に成形したものであり、その内部には高吸収性ポリマー（所謂ＳＡＰ）等が混入されている。本実施形態において、吸収体１１は平面視略砂時計形状であり、長手方向の中央部が横方向の内側に凹んだ括れ部１１ｃを有している。すなわち、吸収体１１は、吸収体１１の長手方向の両端部１１ｅａ，１１ｅｂよりも横方向の寸法が小さい括れ部１１ｃを、長手方向の両端部１１ｅａ，１１ｅｂの間の位置に有している。コアラップシート１２は、吸収体１１の外周面を被覆する液透過性のシート部材であり、ティッシュペーパーや不織布等を使用可能である。
【００５２】
トップシート２０は、吸収性本体１０の厚さ方向の肌側面に配置され、おむつ１の着用時に着用者の肌と当接する液透過性のシート部材（内層シート）である。本実施形態のトップシート２０は、例えば、エアスルー不織布やスパンボンド不織布等によって形成される。
【００５３】
バックシート３０は、吸収性本体１０の厚さ方向の非肌側に配置され、おむつ１の外層を構成するシート部材（外層シート）である。本実施形態において、バックシート３０は、バックフィルム３１と、上側外層シート３２及び下側外層シート３３とを有する。バックフィルム３１は、吸収性本体１０の非肌側に配置された液不透過性かつ透湿性のシート部材であり、例えば樹脂フィルムによって形成される。バックフィルム３１が設けられることによって、吸収性本体１０によって吸収された尿等の水分が着用者の衣服側に移動（浸透）することが抑制される。
【００５４】
上側外層シート３２及び下側外層シート３３は、厚さ方向に重ねられつつバックフィルム３１の非肌側に配置される柔軟なシート状部材であり、例えばスパンボンド不織布等によって形成される。上側外層シート３２及び下側外層シート３３は、少なくとも腹側胴回り部３及び背側胴回り部４において共に同じ形状であり、全体としては図１に示されるような略砂時計形状を有している。すなわち、バックシート３０は、腹側胴回り部３と背側胴回り部４との間で長手方向の中央部（股下部５）が横方向の内方に凹んだ括れ部３０ｃを有している。
【００５５】
また、おむつ１において、バックシート３０の長手方向腹側の端部３０ｅаが長手方向の内側に折り返されており、折り返された端部３０ｅаの一部が吸収性本体１０及び防漏壁５０の肌側に重ねて接合された腹側折り返し部３０ｆａを形成している。同様に、バックシート３０の長手方向背側の端部３０ｅｂが、長手方向の内側に折り返されており、折り返された端部３０ｅｂの一部が吸収性本体１０及び防漏壁５０の肌側に重ねて接合された背側折り返し部３０ｆｂを形成している。
【００５６】
また、上側外層シート３２及び下側外層シート３３の厚さ方向の間には、糸ゴム等の弾性部材が設けられている。本実施形態では、図１に示されるように、おむつ１の腹側胴回り部３（腹側サイドエッジ部３ｅｓ，３ｅｓの間の領域）において、複数の腹側胴回り弾性部材３５ａが所定の伸長倍率で横方向に伸長された状態で上側外層シート３２と下側外層シート３３との間に挟まれて接合されている。この腹側胴回り弾性部材３５ａによって、おむつ１の腹側胴回り部３に横方向の伸縮性が付与される。同様に、おむつ１の背側胴回り部４（背側サイドエッジ部４ｅｓ，４ｅｓの間の領域）において、複数の背側胴回り弾性部材３５ｂが所定の伸長倍率で横方向に伸長された状態で上側外層シート３２と下側外層シート３３との間に接合されている。この背側胴回り弾性部材３５ｂによって、おむつ１の背側胴回り部４に横方向の伸縮性が付与される。
【００５７】
なお、弾性部材の「伸長倍率」とは、弾性部材（糸ゴム）の自然長を１としたときの伸び度合いを示したものであり、例えば伸長倍率が１．２の場合、弾性部材は自然長から０．２だけ伸張していることになる。
【００５８】
また、背側胴回り部４には複数の背側脚回り弾性部材３５ｌｇが設けられている。背側脚回り弾性部材３５ｌｇは、背側胴回り部４の長手方向の内側の領域（吸収体１１の長手方向の中央寄りの位置）から括れ部３０ｃに沿って湾曲して配置されている。具体的に言えば、背側脚回り弾性部材３５ｌｇは、図１に示されるように、横方向の中央部（吸収体１１が配置されている領域）において横方向に沿って配置された直線部３５ｌｇｓと、直線部３５ｌｇｓの横方向の両側から、横方向の外側に向かって斜め上方に湾曲して配置された湾曲部３５ｌｇｃと、を有する。そして、直線部３５ｌｇｓと湾曲部３５ｌｇｃとは、それぞれ異なる伸長倍率で伸長された状態で上側外層シート３２と下側外層シート３３との間に接合されている。
【００５９】
本実施形態では、直線部３５ｌｇｓにおける伸長倍率が背側胴回り弾性部材３５ｂの伸長倍率よりも低くなるように背側脚回り弾性部材３５ｌｇが配置されている。直線部３５ｌｇｓは、横方向の中央部において吸収体１１（吸収性本体１０）と重複する部分を有していることから、伸長倍率を低くすることによって、吸収体１１が横方向に過度に収縮することを抑制することができる。なお、直線部３５ｌｇｓの横方向の位置によって伸長倍率が異なっていても良い。例えば、直線部３５ｌｇｓのうち横方向中央部における伸長倍率が横方向両端部における伸長倍率より低くなっていても良い。これにより、直線部３５ｌｇｓにおける応力に勾配が生じ、フィット性を損なうことなく吸収体１１の収縮を抑制することができる。
【００６０】
一方、湾曲部３５ｌｇｃにおける伸長倍率は、背側胴回り弾性部材３５ｂの伸長倍率よりも高くなるように配置されている。湾曲部３５ｌｇｃは、おむつ１の背側において括れ部３０ｃに沿って配置されているが、この領域は、おむつ１の着用時に着用者の臀部に当接し、着用者が脚を動かすことによって位置ずれが生じやすい部分である。そこで、湾曲部３５ｌｇｃの伸長倍率を高くすることによって、収縮力を強くして位置ずれを生じにくくしている。また、脚回り開口ＬＨの近隣においてバックシート３０の収縮量が大きくなるため、バックシート３０が着用者の臀部の丸みに沿った形状に変形しやすくなり、フィット性を高めることができる。なお、直線部３５ｌｇｓと同様に、湾曲部３５ｌｇｃの横方向で伸長倍率が異なっていても良い。例えば、湾曲部３５ｌｇｃにおいて、横方向の内側よりも外側の方が伸長倍率を高くしても良い。
【００６１】
＜防漏壁５０について＞
次に、防漏壁５０について説明する。防漏壁５０は、吸収性本体１０の横方向両側において、吸収性本体１０の長手方向（おむつ１の縦方向）に沿って配置され、おむつ１の着用時には吸収性本体１０の側端部から起立して、排泄物がおむつ１の外側に漏出するのを抑制する。図４は、展開且つ伸長状態である防漏壁５０の平面図である。図５は、図３Ｃの領域Ｄについて拡大して表す概略断面図である。なお、図５では説明の便宜上厚さ方向における縮尺を変形して表している。
【００６２】
防漏壁５０は、図４に示されるような矩形状のシート部材５０ｓを、長手方向（縦方向）に沿った折り曲げ線ｆ１〜ｆ３にて横方向に折り畳むことによって形成される。防漏壁５０を形成するシート部材５０ｓとしては、例えば不織布等、柔軟性を有するシート部材を使用することができる。また、防漏壁５０には、長手方向に伸縮可能な糸ゴム等の防漏壁弾性部材５５が複数設けられている。図４の例では、それぞれ長手方向に沿った６本の防漏壁弾性部材５５１〜５５６が横方向の外側から内側に向かって並んで配置されている。防漏壁弾性部材５５１〜５５６はそれぞれ長手方向に所定の伸長倍率で伸長された状態で防漏壁５０に接合されている。この防漏壁弾性部材５５によって防漏壁５０に長手方向に沿った伸縮性が付与され、おむつ１着用時に防漏壁５０を起立させる。
【００６３】
防漏壁弾性部材５５は、図１及び図４において破線で示された範囲において伸縮性を発現している。なお、図１及び図４において破線で示された範囲よりも長手方向（縦方向）の外側の領域に伸縮性を発現していない防漏壁弾性部材５５が存在していても良い。また、防漏壁弾性部材５５の数量やその配置は図４に示される限りではなく、おむつ１の使用に応じて適宜変更可能である。
【００６４】
図４に示される展開状態において、防漏壁５０（シート部材５０ｓ）の横方向の内側端部５０ｅｉは、厚さ方向において吸収性本体１０とバックフィルム３１（バックシート３０）との間に接合・固定されている。一方、防漏壁５０（シート部材５０ｓ）の横方向の外側端部５０ｅоは吸収性本体１０の横方向外側に張り出している。この状態で、外側端部５０ｅоが折り曲げ線ｆ１を基点として横方向の内側に折り曲げられ、防漏壁弾性部材５５１〜５５６を間に挟んだ状態でシート部材５０ｓ同士が厚さ方向に重ねられ、互いに接合される。なお、横方向に複数並んで設けられている防漏壁弾性部材５５のうち、最も外側の弾性部材（図４では防漏壁弾性部材５５１）は、折り曲げ線ｆ１の横方向位置に揃えて配置されている。
【００６５】
続いて、シート部材５０ｓが折り曲げ線ｆ２を基点として厚さ方向の非肌側かつ横方向の内側に折り曲げられる。折り曲げ線ｆ２の横方向位置は、防漏壁弾性部材５５５の横方向位置とほぼ同じ位置である。続いて、シート部材５０ｓが折り曲げ線ｆ３を基点として厚さ方向の肌側かつ横方向の内側に折り曲げられる。これにより、図３及び図５に示されるような略Ｓ字状に折り曲げられた防漏壁５０が形成される。なお、図５の場合、折り曲げ線ｆ３の位置が防漏壁５０を起立させる際の基部５０ｒｐとなる。
【００６６】
防漏壁５０は、シート部材５０ｓが横方向の一方側から他方側へ折り返されることにより、厚さ方向の最も肌側に天面部５１が形成されている。天面部５１は、折り曲げ線ｆ１と折り曲げ線ｆ２との間において横方向に所定の幅を有する領域であり、該天面部５１には、防漏壁弾性部材５５１〜５５５が設けられている。また、天面部５１の厚さ方向の非肌側には下面部５２が形成されている。下面部５２は、折り曲げ線ｆ２と折り曲げ線ｆ３との間において横方向に所定の幅を有する領域であり、該下面部５２には、防漏壁弾性部材５５５〜５５６が設けられている。なお、防漏壁弾性部材５５５は上述したように横方向について折り曲げ線ｆ２とほぼ同じ位置に配置されていることから、天面部５１及び下面部５２の両方に設けられているものとする。
【００６７】
そして、防漏壁５０では、天面部５１及び下面部５２の一部の領域が折り込み接合部６１を介して厚さ方向に接合されている。すなわち、折り込み接合部６１によって防漏壁５０（シート部材５０ｓ）の厚さ方向の一方側の面同士が接合されている。以下、防漏壁５０において折り込み接合部６１が形成されている部分よりも横方向の内側の領域を折り込み部５３とも呼ぶ。本実施形態では、天面部５１（下面部５２）の横方向内側の領域に、図５の斜線部で示される折り込み接合部６１が設けられ、折り込み部５３が形成されている。なお、折り込み接合部６１はホットメルト接着剤等の接着剤を用いた接着手段や、エンボス加工等の圧着手段を用いて形成されている。なお、折り込み接合部６１は図５の様に折り込み部５３の横方向の全体に亘って形成されている必要はなく、例えば、横方向の内側端（図５で折り曲げ線ｆ２の位置）において折り込み接合部６１が形成されていなくても良い。一方、折り込み接合部６１が設けられていない横方向外側の領域では、天面部５１と下面部５２とが接合されておらず、両者は厚さ方向に離脱可能である。以下、天面部５１のうち、折り込み接合部６１が設けられている部分よりも横方向の外側を単層部５４とも呼ぶ。なお、ここで言う「単層」とは、天面部５１のみからなる層であることを意味し、天面部５１自体は図５のような複層構造であっても良い。
【００６８】
折り込み接合部６１の長手方向の外側の領域には、折り込み接合部６１が設けられていない。すなわち、防漏壁５０のうちの、長手方向において折り込み接合部６１よりも一方側の領域及び他方側の領域では、防漏壁５０（シート部材５０ｓ）の厚さ方向の一方側の面同士が接合されていない非接合部６２を有する。この非接合部６２では、図３Ｂに示されるように防漏壁５０の天面部５１及び下面部５２が接合されていないため、折り込み部５３は形成されておらず、天面部５１の横方向の全領域が単層部となる。なお、図１では折り込み接合部６１の長手方向の両外側に非接合部６２が設けられているが、長手方向の一方側にのみ非接合部６２が設けられているのであっても良い。
【００６９】
また、防漏壁５０の長手方向の両端部には、エンド接合部６３が設けられている。エンド接合部６３では、図３Ａの斜線部で示されるように、防漏壁５０の天面部５１と下面部５２とが接合されると共に、下面部５２とトップシート２０とが接合されている。これにより、防漏壁５０の長手方向の端部において天面部５１及び下面部５２がトップシート２０の肌側面に固定される。なお、図１に示されるように、エンド接合部６３は折り込み接合部６１よりも横方向の外側に配置されており、これにより、天面部５１の横方向外側端部が捲り上がってしまうことが抑制される。
【００７０】
本実施形態のおむつ１では、防漏壁５０を上述した略Ｓ字状の折り曲げ構造（図５参照）とすることで、排泄が行われた場合であっても着用者に不快感を与えにくくしつつ、股間部に隙間が生じることを抑制することができる。図６Ａは、排泄が行われる前のおむつ１の着用状態について説明する図である。図６Ｂは、排泄が行われた後のおむつ１の着用状態について説明する図である。
【００７１】
図６Ａに示されるおむつ１の着用状態では、防漏壁５０のうち、肌側に配置された天面部５１が着用者の身体と当接する。すなわち、天面部５１の全体が着用者の身体に対して面接触するように配置される。天面部５１のうち折り込み部５３は、天面部５１と下面部５２とが積層された状態で折り込み接合部６１によって接合されていることにより剛性が高くなっている。そのため、折り込み部５３に防漏壁弾性部材５５５及び５５６による収縮力が作用すると、該折り込み部５３は面形状を維持したまま、着用者の身体にしっかりと押し当てられる。このとき一対の防漏壁５０の横方向の間隔（横方向における折り込み部５３，５３の間の距離）をＷ５０とする。一方、天面部５１のうち、折り込み接合部６１よりも横方向外側の単層部５４には、折り込み接合部６１よりも横方向内側よりも多くの防漏壁弾性部材５５１〜５５４が設けられている。この単層部５４は、折り込み部５３よりも剛性が低いため自由に変形しやすい。そのため、単層部５４に配置された防漏壁弾性部材５５１〜５５４による収縮力が作用すると、該単層部５４は身体の凹凸に応じた曲面を形成しながら着用者の肌側に押し当てられる。また、複数の防漏壁弾性部材５５１〜５５４によって、単層部５４が捲れてしまうこと等が効果的に抑制される。
【００７２】
これにより、防漏壁５０の天面部５１の全体を着用者の身体に面でピタッとフィットさせることができる。また、天面部５１が着用者の身体と面接触しているため、複数の防漏壁弾性部材５５１〜５５６による収縮力が分散されて天面部５１全体として着用者の肌に作用する面圧を大きくしている。したがって、複数の防漏壁弾性部材５５１〜５５６（例えば糸ゴム）による収縮力が着用者の肌に対して個々に作用するような場合と比較して、局所的に圧力が高くなることが抑制され、おむつ１の付け心地が悪化するのを抑え、かつ、着用者の肌を傷つけにくくなる。
【００７３】
なお、本実施形態では、折り込み部５３のうち、下面部５２に少なくとも１本の防漏壁弾性部材５５６が設けられている（図５参照）。該防漏壁弾性部材５５６が収縮することにより下面部５２と天面部５１とが同時に着用者の肌側に押し上げられるため、折り込み部５３が面形状を維持した状態で着用者の肌と当接（面接触）しやすくなる。
【００７４】
その際、防漏壁弾性部材５５６は、横方向について、折り込み接合部６１と同じ位置若しくは折り込み接合部６１よりも内側に配置されていることが望ましい。仮に、防漏壁弾性部材５５６が折り込み接合部６１よりも横方向の外側に配置されていた場合、該防漏壁弾性部材５５６による伸縮力が実質的に折り込み部５３に作用しなくなるため、折り込み部５３を面形状のまま着用者の肌側に押し上げることが困難になる。これに対して、折り込み接合部６１の下方又はその内側に防漏壁弾性部材５５６が配置されていれば、該防漏壁弾性部材５５６による伸縮力が折り込み接合部６１を介して折り込み部５３の広範囲に作用するため、折り込み部５３を着用者の肌と面接触させやすくなる
【００７５】
図６Ａの状態で、おむつ１に排泄が行われると、吸収体１１が尿等を吸収して重量が重くなり、下方側に垂れ下がるように移動しようとする。しかし、本実施形態のおむつ１では、折り込み部５３及び単層部５４に設けられた複数の弾性部材の収縮力によって天面部５１を上方側（着用者の肌側）に押し上げる力が生じており、吸収体１１の受領増加によって防漏壁５０が下側に引っ張られる力に対する抗力となる。また、天面部５１が着用者の肌と面接触していることから、接触面における摩擦が大きく、該天面部５１の位置ずれが生じにくい。したがって、一対の防漏壁５０の横方向の間隔Ｗ５０は排泄の前後で変動しにくい。これらのことから、図６Ｂのように防漏壁５０の天面部５１が着用者の肌に当接した状態が維持されやすく、おむつ１の脚回り部に隙間が生じる等の問題が生じにくくなる。
【００７６】
また、吸収体１１の垂れ下がりは、防漏壁５０の起立部分が高いほど生じやすくなる。すなわち、図６Ｂに示されるように、吸収体１１の横方向外側端部から防漏壁５０が着用者の肌と当接する部分までの距離Ｌ２が長いほど、吸収体１１が下方側に垂れ下がりやすくなる。これに関して、おむつ１の防漏壁５０では、折り込み部５３が形成されていることによって、距離Ｌ２が相対的に短くなる。すなわち、折り込み部５３によって防漏壁５０の一部を折り重ねることにより、防漏壁５０の起立部分を低くすることで、吸収体１１が下方側に大きく垂れ下がることを抑制し、着用者に不快感を与えにくくすることができる。
【００７７】
また、図１に示されるように、折り込み接合部６１（折り込み部５３）は、長手方向において吸収体１１の括れ部１１ｃの領域中に形成されている。言い換えると、横方向の両側に形成されている一対の折り込み接合部６１は、厚さ方向において吸収体１１とそれぞれ重複しておらず、かつ、横方向における一対の折り込み接合部６１の間隔は、横方向における吸収体１１の長手方向両端部の長さ（幅）よりも狭い。吸収体１１のうち括れ部１１ｃが形成されている領域では吸収体１１の横方向端部から防漏壁５０の起立基部５０ｒｐまでの距離が長くなるため（図５参照）、その分吸収体１１の垂れ下がりが生じやすくなる。そこで、当該領域において防漏壁５０に折り込み接合部６１を設け、折り込み部５３にて防漏壁５０を折り重ねることにより、距離Ｌ２をなるべく短くして吸収体１１の垂れ下がりを効果的に抑制できるようにしている。さらに、折り込み接合部６１が、厚さ方向において吸収体１１と重複しないように形成されることにより、防漏壁５０のうち折り込み接合部６１によって剛性が高くなった部分が、吸収体１１によって着用者の身体（肌側）に押し付けられてしまうことが抑制される。これにより、おむつ１着用時における肌触りの悪化を抑制できる。
【００７８】
＜吸収パッドについて＞
本実施形態のおむつ１は、液吸収性の吸収パッド１００と共に使用することが可能である。吸収パッド１００は尿等の排泄物を吸収する機能を有し、おむつ１の吸収性本体１０の肌側に着脱自在に挿入される。図７は、展開且つ伸長状態である吸収パッド１００の平面図である。図８Ａは、図７中のＥ−Ｅ概略断面図である。図８Ｂは、図７中のＦ−Ｆ概略断面図である。なお、図７及び図８Ａ，図８Ｂにおける各方向（横方向等）は、図１及び図３における各方向に対応している。
【００７９】
おむつ１に挿入する吸収パッド１００は、図７のように長手方向の両端部と、長手方向の一端部及び他端部の間の部分において横方向の幅が狭くなった略ひょうたん型の形状を有している。吸収パッド１００は、パッド吸収体１１０と、トップシート１２０と、バックシート１３０と、吸収パッド防漏壁１５０とを有する。各部材は、図８のように厚さ方向に重ねて配置され、斜線部で示される領域においてホットメルト接着剤やその他の接合手段を用いて互いに接合されている。
【００８０】
パッド吸収体１１０は、パルプ繊維等の液体吸収性繊維を所定形状に成形したものであり、その内部には高吸収性ポリマー（所謂ＳＡＰ）等が混入されており、尿等の液体（排泄物）を吸収・保持する。図７に示されるように、パッド吸収体１１０の平面形状は、吸収パッド１００と同様の略ひょうたん型である。すなわち、長手方向の腹側（及び背側）において横方向の幅が最も広くなった腹側幅広部１１０ｌаと、長手方向の背側において横方向の幅が最も広くなった背側幅広部１１０ｌｂと、腹側幅広部１１０ｌа及び背側幅広部１１０ｌｂとの間（つまり、パッド吸収体１１０の長手方向両端部の間）で横方向の幅が最も狭くなった幅狭部１１０ｓとを有する。幅狭部１１０ｓは、長手方向において中央位置ＣＬ１００よりも腹側の領域に設けられ、パッド吸収体１１０が着用（使用）される際に着用者の鼠径部に当接する部位である。したがって、当該領域の幅を狭くすることによって、着用時において、着用者の脚の動きを妨げにくく、また、パッド吸収体１１０が着用者の肌に食むことを抑制することができる。本実施形態において、幅広部１１０ｌа，１１０ｌｂの横方向の幅Ｗ１１０ｌは２２０ｍｍ程度であり、幅狭部１１０ｓの横方向の幅Ｗ１１０ｓは１５０ｍｍ程度である。
【００８１】
幅狭部１１０ｓの横方向中央部には、パッド吸収体１１０を厚さ方向に貫通するスリット１１１が長手方向に沿って設けられている。パッド吸収体１１０はスリット１１１の部分において剛性が低くなっているため、吸収パッド１００の着用時において着用者の身体形状にあわせて変形しやすくなる。また、パッド吸収体１１０は、おむつ１の吸収体１１と同様にコアラップシート１１２（例えばティッシュ）によっての外周面を被覆されている。また、パッド吸収体１１０が厚さ方向に２層の構造となっていても良い。すなわち、図８のように、パッド吸収体１１０の厚さ方向に重ねて、第２パッド吸収体１１５が設けられていても良い。ただし、コアラップシート１１２や第２パッド吸収体１１５は必ずしも設けられていなくても良い。
【００８２】
トップシート１２０は、パッド吸収体１１０の厚さ方向の肌側面に配置され、吸収パッド１００の着用時に着用者の肌と当接する液透過性のシート部材である。トップシート１２０は、例えば、エアスルー不織布やスパンボンド不織布等によって形成される。バックシート１３０は、パッド吸収体１１０の厚さ方向の非肌側に配置されるシート部材である。バックシート１３０は、バックフィルム１３１と、外層シート１３２とを有する。バックフィルム１３１は、パッド吸収体１１０の非肌側に配置された液不透過性かつ透湿性のシート部材であり、例えば樹脂フィルムによって形成される。外層シート１３２は、厚さ方向に重ねられつつバックフィルム１３１の非肌側に配置される柔軟なシート状部材であり、例えばスパンボンド不織布等によって形成される。
【００８３】
なお、バックシート１３０で、バックフィルム１３１の横方向における幅が、外層シート１３２の横方向における幅よりも狭くなるようにしても良い（図８Ａ，図８Ｂ参照）。このような構成であれば、外層シート１３２の横方向外側端部１３０ｅоにおける資材の積層枚数が少なくなり、当該外側端部１３０ｅの剛性を低くすることができる。この外側端部１３０ｅоは、吸収パッド１００の横方向外側の端部１００ｓｅとなる部分であり、後述するようにおむつ１に挿入する際に、防漏壁５０の間に形成される空間ＳＰ５０に挿入される部分である。そのため、外側端部１３０ｅоの剛性を低くして変形しやすくしておくことで、吸収パッド１００が防漏壁５０と干渉しにくくなり、おむつ１に挿入する作業が容易になる。
【００８４】
パッド吸収体１１０の肌側面の横方向両側部には、一対の吸収パッド防漏壁１５０が設けられている。吸収パッド防漏壁１５０は、横方向の内側端部１５０ｅｉを含む少なくとも一部の領域が厚さ方向においてトップシート１２０の肌側面と重なるように配置されている。そして、図８Ａに示されるように、トップシート１２０の横方向両端部において、ホットメルト接着剤等によって形成された接合部１５５を介してトップシート１２０と接合されている。また、パッド吸収体１１０の横方向両外側の領域において、ホットメルト接着剤等によって形成された接合部１５６を介してバックシート１３０（バックフィルム１３１）と接合されている。吸収パッド防漏壁１５０の横方向の内側端部１５０ｅｉには、吸収パッド弾性部材１５１が長手方向に所定の伸長倍率で伸長された状態で接合されている。吸収パッド１００の着用時には、吸収パッド弾性部材１５１の収縮力によって、吸収パッド防漏壁１５０が接合部１５５を基点としてパッド吸収体１１０の横方向両端部から厚さ方向の肌側に起立する。これにより、吸収パッド１００の横方向外側に排泄物が漏出することが抑制される。
【００８５】
一方、図７及び図８Ｂに示されるように、長手方向の端部領域においては、吸収パッド防漏壁１５０の横方向内側端部１５０ｅｉ付近が、ホットメルト接着剤等によって形成された接合部１５７を介してトップシート１２０と接合されている。したがって、吸収パッド１００の着用時において、この長手方向の端部領域では吸収パッド防漏壁１５０は厚さ方向に起立しない。
【００８６】
＜おむつ１の装着について＞
吸収パッド１００を使用する際の、おむつ１の装着方法について説明する。図９は、おむつ１の装着動作について説明する図である。
【００８７】
本実施形態のおむつ１で吸収パッド１００を使用する際には、先ず、吸収パッド１００のみを着用者の股間に配置する（吸収パッド配置工程）。図９Ａは、着用者の股間に吸収パッド１００を配置した状態について表している。吸収パッド１００を直接着用者の身体に配置することにより、排泄口の位置に対して吸収パッド１００の位置を調整しやすく、また、吸収パッド１００を配置する動作において吸収パッド１００に撚れや捲れ等が発生した場合でも、すぐに直すことができる。これにより、おむつ１の装着時において吸収パッド１００から排泄物が漏出することが抑制される。
【００８８】
また、車いす等で活動している人の中には、自身で排尿を制御することが困難な人もいる。このような場合、従来のおむつでは、おむつを着脱する動作を行っている最中に尿漏れが生じ、衣類等に尿が付着してしまうことがあった。これに対して本実施形態のように排泄口の位置に直接吸収パッド１００を配置しておくことができれば、おむつ１の着脱動作時に尿等が衣服側に漏れてしまうといった問題を抑制することができる。
【００８９】
続いて、着用者の身体に配置された状態の吸収パッド１００の非肌側に、吸収性本体１０が重なるようにおむつ１を着用者に着用させる（着用工程）。図９Ｂは、着用者におむつ１を着用させた状態について表している。本着用工程では、吸収パッド１００の位置がずれないようにしつつ、従来のパンツ型おむつを履かせる動作と同様にしておむつ１を着用者に着用させることができる。仮に、おむつ１に吸収パッド１００を取り付けてから着用者におむつ１を着用させようとすると、腰まで引き上げるまでの数秒間の間に、残尿など不意な排泄をしてしまう場合があり、吸収パッドのみならず衣類、あるいは交換場所周辺を汚してしまう可能がある。また、おむつ１の吸収性本体１０の厚みと吸収パッド１００の厚みとでおむつ１がゴワゴワした状態となり、着用者の身体におむつ１をフィットさせることが難しくなる場合がある。また、おむつ１を履かせる動作において排泄口の位置に対して吸収パッド１００の位置がずれてしまう場合があり、排泄物が吸収パッド１００や吸収性本体１０から漏れやすくなるおそれがある。
【００９０】
これに対して、本実施形態の装着方法によれば、着用者の身体におむつ１をフィットさせやすくなると共に、吸収パッド１００の位置ずれを抑制して漏れを生じにくくすることができる。また、おむつ１を着用させる際の位置ずれが生じにくくなることから、上述したように防漏壁５０の天面部５１が着用者の身体に面でピタッとフィットしやすくなり、おむつ１着用時におけるフィット性がより向上する。また、本実施形態のおむつ１及び防漏壁５０は、後述するように、おむつ１を着用者に着用させた状態であっても吸収パッド１００を容易に挿入することが可能な構造を有しており、本装着方法に好適である。
【００９１】
続いて、おむつ１の吸収性本体１０の肌側面に吸収パッド１００を挿入する（挿入工程）。ここで、おむつ１に吸収パッド１００を「挿入する」とは、おむつ１に対して位置ずれが生じないように吸収パッド１００を取り付けることである。着用工程において、吸収パッド１００と吸収性本体１０とが重ねて配置されただけの状態では、着用者が身体を動かした際に位置ずれが生じる等により、排泄物が漏出するおそれがある。そこで、おむつ１に対して吸収パッド１００が位置ずれを生じにくくなるように、吸収パッド１００をおむつ１にしっかりと挿入する必要がある。本実施形態では、吸収性本体１０の長手方向中心位置ＣＬ１０と、吸収パッド１００の長手方向中心位置ＣＬ１００とが重なるように、吸収パッド１００をおむつ１に挿入する。
【００９２】
図１０は、吸収パッド１００をおむつ１に挿入した状態におけるおむつ１の概略断面図である。同図１０では、図１の長手方向においてバックシート３０（外層シート）の横方向長さ（幅）が最も小さくなる位置における断面を表している。おむつ１に吸収パッド１００を挿入する際には、吸収性本体１０の長手方向中央位置ＣＬ１０と、吸収パッド１００の長手方向中央位置ＣＬ１００との位置が揃うようにしつつ、吸収パッド１００の横方向端部１００ｓｅを、おむつ１のトップシート２０の肌側面と防漏壁５０の折り込み部５３（折り込み接合部６１）の非肌側面との間の空間ＳＰ５０（図１０において斜線部で表されている）に収容（挿入）する。これにより、防漏壁５０及びトップシート２０によって吸収パッド１００の横方向端部１００ｓｅが挟み込まれるようにして押さえ付けられ、吸収性本体１０の肌側に吸収パッド１００がしっかりと保持される。
【００９３】
図１１は、図１０の状態から吸収性本体１０及び防漏壁５０及び吸収パッド１００を横方向に伸長させたとき状態を表す図である。本実施形態では、吸収パッド１００の横方向端部１００ｓｅが空間ＳＰ５０に無理なく収容されるよう、吸収パッド１００及びおむつ１の所定部分の寸法が以下の条件を満たすように調整されている。すなわち、図１１のように、吸収性本体１０及び防漏壁５０の長さが最大となるように両者を横方向に伸長させたときの、吸収性本体１０の横方向の幅Ｗ１０と、防漏壁５０のうち吸収性本体１０の横方向の端１０ｅоと折り込み接合部６１との間の距離ｈ５０の２倍との合計値（Ｗ１０＋２×ｈ５０）が、吸収パッド１００の長さが最大となるように横方向に伸長させたときの、吸収パッド１００の横方向の幅Ｗ１００と、前記吸収パッド１００の最大の厚さｔ１００の２倍との合計値（Ｗ１００＋２×ｔ１００）よりも大きくなるように各寸法が調整されている。
【００９４】
着用者がおむつ１を装着した状態では、吸収性本体１０や吸収パッド１００が横方向に撓んだり収縮したりするため、上述のように吸収性本体１０及び防漏壁５０の長さが最大となるように横方向に伸長させたときの寸法を規定している。したがって、図１１に示されるような伸長状態で寸法を比較したときに（Ｗ１０＋２×ｈ５０）＞（Ｗ１００＋２×ｔ１００）の関係が成立していれば、防漏壁５０と干渉することなく吸収パッド１００をおむつ１に挿入することができる。なお、図１１の状態において、吸収性本体１０の横方向の両端１０ｅоの位置には吸収体１１が配置されていないため、両端１０ｅоにおける吸収性本体１０の厚さｔ１０ｅоは実質的に無視することができる。
【００９５】
なお、バックシート３０（外層シート）の横方向長さ（幅）が最も小さくなる位置において、吸収性本体１０の幅Ｗ１０の長さは２００ｍｍ程度であり、防漏壁５０の距離ｈ５０の長さは２５ｍｍ程度である。同様に、吸収パッド１００の幅Ｗ１００の長さは２１０ｍｍ程度であり、前記吸収パッド１００の最大厚さｔ１００の厚みは１０ｍｍ程度である。したがって、（Ｗ１０＋２×ｈ５０）＝２５０ｍｍ＞（Ｗ１００＋２×ｔ１００）＝２３０ｍｍの関係が成立している。
【００９６】
さらに、図１０のように、おむつ１に吸収パッド１００を挿入した状態で、一対の折り込み接合部６１（折り込み部５３）の横方向における内側端の間隔Ｗ５０が、少なくとも長手方向の一部において吸収パッド１００の横方向の幅Ｗ１００よりも狭くなる部分を有するように調整される（Ｗ１００＞Ｗ５０）。本実施形態において、一対の折り込み接合部６１の間隔Ｗ５０の長さは１４０ｍｍ程度である（２１０ｍｍ＞１４０ｍｍ）。これにより、一対の折り込み接合部６１によって吸収パッド１００が厚さ方向の非肌側から肌側に移動することが抑制される。すなわち、折り込み接合部６１（折り込み部５３）によって吸収パッド１００が厚さ方向に押さえられてしっかりと保持されるため、おむつ１から吸収パッド１００が離脱してしまうことが抑制される。
【００９７】
また、図１０の状態において、一対の吸収パッド防漏壁１５０の横方向における内側端部１５０ｅｉの間隔Ｗ１５０は、折り込み接合部６１の横方向における内側端の間隔Ｗ５０よりも狭い（Ｗ５０＞Ｗ１５０）。すなわち、おむつ１に吸収パッド１００を挿入した状態において、一対の防漏壁５０の横方向の内側に、一対の吸収パッド防漏壁１５０（内側端部１５０ｅｉ）が起立することになり、横方向に２重の防漏壁が設けられる配置となる。これにより、排泄物がおむつ１の外部に漏出することをより抑制しやすくなる。なお、おむつ１の防漏壁５０は上述したように天面部５１が着用者の身体にピタッとフィットして、着用者が身体を動かした場合であっても間隔Ｗ５０は変動しにくい。したがって、吸収パッド１００をおむつ１に挿入した状態で着用者が身体を動かした場合であっても吸収パッド防漏壁１５０の間隔Ｗ１５０が過度に広がることが抑制され、良好なフィット性が保たれる共に、防漏壁としての機能が確保され、排泄物の横漏れが生じにくくなる。
【００９８】
また、図１０の状態において、パッド吸収体１１０（吸収パッド１００）の横方向の幅Ｗ１１０は、吸収体１１（吸収性本体１０）の横方向の幅Ｗ１１よりも広い（Ｗ１１０＞Ｗ１１）。これにより、パッド吸収体１１０を用いずにおむつ１を使用する場合と比較して、排泄物等の吸収容量を大きくすることが可能である。つまり、吸収パッド１００を併用することにより、おむつ交換の間隔（インターバル）をより長くすることが可能となる。本実施形態のおむつ１によれば、防漏壁５０に折り込み部５３（折り込み接合部６１）が設けられていることにより、幅の広いパッド吸収体１１０（吸収パッド１００）であっても無理なく挿入することが可能となる。吸収量の多い吸収パッド１００をおむつ１（防漏壁５０）の立体内に収容しやすくなるため、着用者は、夜間も動きやすいパンツ型おむつを着用した状態で過ごせるようになる。これにより、終日パンツ型おむつで過ごすことが可能となり、日常生活をより快適に過ごせるようになる。
【００９９】
なお、吸収パッド１００による排泄物吸収量が多くなると、その分重量が増加し、下方に垂れ下がりやすくなるおそれがある。しかし、本実施形態のおむつ１は防漏壁５０に設けられた折り込み部５３によって下側に垂れ下がりにくい構造を有しているため、おむつ１に保持された吸収パッド１００も下側に垂れ下がりにくく、排泄物の吸収量が多くなっても問題は生じにくい。また、図９で説明したように、吸収パッド１００を交換する際の動作が容易であり、かつ位置ずれ等が生じにくいため、おむつ１（吸収パッド１００）を着用させる人（例えば介護者、以下、使用者とも言う）の負担を減らすことができる。
【０１００】
また、上述の挿入工程において、図１０のようにおむつ１に吸収パッド１００を挿入する際には、空間ＳＰ５０に指を差し込んで防漏壁５０の折り込み部５３（折り込み接合部６１）を横方向の外側に引き出した後、吸収パッド１００の肌側に被せるように配置する動作が行われる。おむつ１の防漏壁５０では、このような動作を行いやすいように防漏壁弾性部材５５１〜５５５が配置されている。具体的には、折り込み接合部６１よりも横方向外側に配置されている複数の防漏壁弾性部材５５１〜５５４の横方向における間隔ｄ５５ａよりも、折り込み接合部６１よりも横方向内側に配置されている防漏壁弾性部材５５のうち最も外側に位置する防漏壁弾性部材５５５と、折り込み接合部６１よりも横方向外側に配置されている複数の防漏壁弾性部材５５のうち最も内側に位置する防漏壁弾性部材５５４との横方向における間隔ｄ５５ｂの方が広くなるように、各弾性部材が配置されている（ｄ５５ａ＜ｄ５５ｂ）。
【０１０１】
折り込み接合部６１よりも横方向外側の領域では、複数の防漏壁弾性部材５５１〜５５４を配置しつつ、その間隔ｄ５５ａを小さくすることにより、当該領域において防漏壁５０（天面部５３）を着用者の肌に面でピタッとフィットしやすくしている（図５、及び図１０参照）。これに対して、横方向内側の領域では防漏壁弾性部材５５４と５５５との間隔ｄ５５ｂを広くすることにより、挿入工程において、空間ＳＰ５０に指を差し込んだ際に、指の先が間隔ｄ５５ｂの間に引っ掛かりやすくなるようにしている。該挿入工程において、着用者におむつ１を着用させた状態では、折り込み部５３は外部から視認しにくい位置にある。しかし、本実施形態では、防漏壁５０の間隔ｄ５５ｂの部分に指を引っ掛けやすくすることによって、折り込み部５３が視認しにくい状態であっても、該折り込み部５３（折り込み接合部６１）を吸収パッド１００の肌側に配置する動作を容易に行うことができる。これにより、おむつ１に吸収パッド１００を正確に挿入しやすくなり、排泄物の漏れ等が抑制される。
【０１０２】
また、間隔ｄ５５ｂが狭くなると、空間ＳＰ５０の上方に位置する折り込み部５３により多くの防漏壁弾性部材５５が配置されることとなり、折り込み部５３に防漏壁弾性部材によってより大きな収縮力が作用するようになる。この場合、折り込み部５３が収縮してしまい、空間ＳＰ５０に吸収パッド１００を挿入しにくくなったり、吸収パッド１００自体に収縮力が作用して吸収パッド１００の表面に凹凸や皺が発生し、着用者に違和感を生じさせやすくなったりするおそれがある。これに対して、本実施形態では、間隔ｄ５５ｂが広く、折り込み部５３に作用する収縮力が適度に調節されているため、吸収パッド１００を挿入しやすく、また、着用時において着用者に違和感を生じさせにくい。
【０１０３】
なお、図１０及び図１１では、長手方向においてバックシート３０（外層シート）の横方向長さ（幅）が最も小さくなる位置における各寸法（例えばＷ１００やＷ１０）の関係について説明したが、上述の関係は、吸収パッド１００の長手方向において幅狭部１１０ｓが形成されている領域について成立している。図１２は、おむつ１に吸収パッド１００を挿入した状態における、おむつ１と吸収パッド１００との位置関係について説明する概略平面図である。同図１２では、おむつ１（吸収性本体１０）の長手方向中央位置ＣＬ１０と、吸収パッド１００の長手方向中央位置ＣＬ１００とが重なるように、おむつ１に吸収パッド１００を挿入した状態を表している。
【０１０４】
図１２でおむつ１に吸収パッド１００を挿入した状態において、吸収パッド１００の幅狭部１１０ｓとおむつ１の折り込み接合部６１とが厚さ方向について重複している。この重複した領域では、吸収パッド１００の幅Ｗ１００や吸収性本体１０の幅Ｗ１０、折り込み接合部６１の間隔Ｗ５０等、各部の寸法の関係が図１０の場合と同様である。したがって、少なくとも、長手方向において幅狭部１１０ｓが設けられている領域では、吸収パッド１００を折り込み接合部６１の間にしっかりと保持することが可能であり、位置ずれ等が生じにくく排泄物の漏れが生じにくい。
【０１０５】
さらに、長手方向における折り込み接合部６１の長さは、長手方向における幅狭部１１０ｓの長さよりも長い（図１２参照）。したがって、仮に、長手方向におけるおむつ１の位置と吸収パッド１００の位置とがずれたとしても、おむつ１の折り込み接合部６１と幅狭部１１０ｓとが厚さ方向に重複する範囲内であれば、図１０の状態が維持されるため、吸収パッド１００がおむつ１にしっかりと挿入される。すなわち、挿入工程において吸収パッド１００とおむつ１との間に長手方向の位置ずれが発生した場合であっても、吸収パッド１００をおむつ１に挿入することが可能となる。
【０１０６】
また、防漏壁５０の長手方向において、非接合部６２が形成されている領域では、防漏壁５０同士が接合されていないことから剛性が低く変形しやすくなっている。したがって、吸収パッド１００を挿入する際には、この非接合部６２が形成されている部分に吸収パッド１００の横方向端部１００ｓｅを挿入しやすい。すなわち、左右両側に設けられている防漏壁５０で非接合部６２の領域がポケットのように機能して吸収パッド１００がすっぽりと収容される。実際に、本実施形態では図１２に示されるように、非接合部６２が形成されている領域において、吸収パッド１００の横方向の幅が最も広くなっている幅広部Ｗ１００ｌを収容できるようになっている。
【０１０７】
一方、防漏壁５０の長手方向において非接合部６２の外側に設けられているエンド接合部６３では、防漏壁５０がトップシート２０の肌側面に固定されており、防漏壁５０のエンド接合部６３の横方向の間隔は吸収パッド１００の幅広部Ｗ１００ｌよりも狭くなっている。したがって、非接合部６２に収容された吸収パッド１００の位置が長手方向（縦方向）にずれたとしても、吸収パッド１００の幅広部Ｗ１００ｌがエンド接合部６３に引っかかるため、吸収パッド１００が長手方向の外側に移動することを抑制することができる。これにより、縦方向においておむつ１の外側に吸収パッド１００がはみ出してしまうことが抑制され、排泄物が外部に漏出しにくくなる。
【０１０８】
なお、上述した挿入工程において、おむつ１を着用させる使用者（例えば介護者）が空間ＳＰ５０に指を差し込んで防漏壁５０を吸収パッド１００の肌側に引き出す動作を行う際に、該空間ＳＰ５０に指を入れた状態のまま長手方向（縦方向）に沿って指を移動させると、非接合部６２とエンド接合部６３との境界で接合部６３に当たって指の移動が止められる。これにより、使用者は、長手方向において防漏壁５０の非接合部６２及び折り込み接合部６１が形成されている領域を、視認することなく指の感覚によって認識することができる。したがって、吸収パッド１００の幅広部Ｗ１００ｌを挿入するべきポケットの位置（非接合部６２が設けられている位置）を誤りにくく、防漏壁５０の間にしっかりと吸収パッド１００を収容することができる。
【０１０９】
また、本実施形態では、おむつ１及び吸収パッド１００を長手方向にそれぞれ伸長させた状態で、おむつ１の長手方向における長さ（長手方向両端の間の距離）が、吸収パッド１００の長手方向における長さ（長手方向両端の間の距離）よりも長い。つまり、おむつ１を着用する際に、長手方向（縦方向）において、吸収パッド１００の全体をおむつ１の内部に収容することが可能となり、長手方向の腹側端部若しくは背側端部から吸収パッド１００がはみ出しにくくなる。これにより、長手方向（縦方向）の腹側若しくは背側から、おむつ１の外側に排泄物が漏れてしまうことを抑制できる。
【０１１０】
さらに言うと、吸収パッド１００の長手方向両端の間の距離は、図１２に示されるように、腹側折り返し部３０ｆａの長手方向内側端部（端部３０ｅа）と、背側折り返し部３０ｆｂの長手方向内側端部（端部３０ｅｂ）との間の長手方向における距離よりも短い。腹側折り返し部３０ｆａの端部３０ｅаは接着剤等が設けられていないドライエッジとなっており、該端部３０ｅаにおいては、腹側折り返し部３０ｆａと吸収性本体１０（及び防漏壁４０）とが接合されていない。そのため、仮に、吸収パッド１００の位置が長手方向の腹側にずれたとしても、吸収パッド１００の長手方向の腹側端部が腹側折り返し部３０ｆａと吸収性本体１０との隙間（端部３０ｅаに形成されているドライエッジ）に引っかかり、長手方向の腹側への位置ずれを止めることができる。同様に、背側折り返し部３０ｆｂにおいて端部３０ｅｂには接着剤等が設けられていないドライエッジとなっており、該端部３０ｅｂにおいては、背側折り返し部３０ｆｂが吸収性本体１０（及び防漏壁４０）と接合されていない。そのため、吸収パッド１００の位置が長手方向の背側にずれたとしても、吸収パッド１００の長手方向の背側端部が背側折り返し部３０ｆｂと吸収性本体１０との隙間（端部３０ｅｂに形成されているドライエッジ）に引っかかり、長手方向の背側への位置ずれを止めることができる。
【０１１１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【０１１２】
上述の実施形態では、胴回り弾性部材や防漏壁弾性部材として、糸ゴムを用いる例について説明されていたが、これらの弾性部材は所謂糸ゴム等の線状弾性部材に限られるものではない。例えば、所定の幅を有する平面状（帯状の）弾性部材が用いられても良い。また、防漏壁やバックシートを構成するシート部材を、伸縮性を有するシート部材（例えば伸縮性不織布）とすることで、糸ゴム等の弾性部材を別途設ける必要のない構成としても良い。
【０１１３】
上述の実施形態では、外層シート３０が括れ部３０ｃを有しており、長手方向の所定の位置において、外層シート３０の横方向における長さ（幅）が変化する例について示されていたが、外層シート３０が括れ部３０ｃを有していない構成であっても良い。例えば、長手方向の或る範囲において、外層シート３０の横方向における長さが等しい構成であっても良い。このような場合、上述の「長手方向において外層シートの横方向の長さが最小となる位置」は、長手方向において、外層シート３０の横方向における長さが等しい部分のうち最も背側の位置であるものとする。
【符号の説明】
【０１１４】
１  おむつ（パンツ型使い捨ておむつ）、
３  腹側胴回り部、３ｅｓ  腹側サイドエッジ部、
４  背側胴回り部、４ｅｓ  背側サイドエッジ部、
５  股下部、
１０  吸収性本体、１０ｅо  端、
１１  吸収体、１１ｃ  括れ部、１１ｅａ  端部、１１ｅｂ  端部、
１２  コアラップシート、
２０  トップシート、
３０  バックシート、３０ｃ  括れ部、３０ｅа  端部、３０ｆａ  腹側折り返し部、
３０ｅｂ  端部、３０ｆｂ  背側折り返し部、
３１  バックフィルム、３２  上側外層シート、３３  下側外層シート、
３５ａ  腹側胴回り弾性部材、３５ｂ  背側胴回り弾性部材、
３５ｌｇ  背側脚回り弾性部材、３５ｌｇｓ  直線部、３５ｌｇｃ  湾曲部、
５０  防漏壁、
５０ｓ  シート部材、５０ｅｉ  内側端部、５０ｅо  外側端部、５０ｒｐ  基部、
５１  天面部、５２  下面部、５３  折り込み部、５４  単層部、
５５  防漏壁弾性部材、５５１〜５５６  防漏壁弾性部材、
６１  折り込み接合部、６２  非接合部、６３  エンド接合部、６５  境界部、
１００  吸収パッド、１００ｓｅ  端部、
１１０  パッド吸収体、
１１０ｌа  腹側幅広部、１１０ｌｂ  背側幅広部、１１０ｓ  幅狭部、
１１１  スリット、１１２  コアラップシート、１１５  第２パッド吸収体、
１２０  トップシート、
１３０  バックシート、１３０ｅо  外側端部、
１３１  バックフィルム、１３２  外層シート、
１５０  吸収パッド防漏壁、１５０ｅｉ  内側端部、
１５１  吸収パッド弾性部材、１５５  接合部、１５６  接合部、１５７  接合部、
ｆ１，ｆ２，ｆ３  折り曲げ線、
ＢＨ  胴回り開口、ＬＨ  脚回り開口、
ＣＬ１０  中央位置、ＣＬ１００  中央位置、
ｄ５５ａ  間隔、ｄ５５ｂ  間隔、
Ｗ１０  幅（吸収性本体）、Ｗ１００  幅（吸収パッド）、
Ｗ１１  幅（吸収体）、Ｗ１１０  幅（パッド吸収体）、
Ｗ５０  間隔（折り込み接合部）、Ｗ１５０  間隔（吸収パッド防漏壁）、
ｈ５０  距離、ｔ１００  厚さ（吸収パッド１００）、
ＳＰ５０  空間
【要約】
【課題】防漏壁を有するパンツ型使い捨ておむつに吸収パッドを重ねて使用する際に、吸収パッドの位置ずれを生じにくくすると共に、排泄物を漏れにくくする。
【解決手段】吸収性本体（１０）と、一対の防漏壁（５０）と、外層シート（３０）とを備え、吸収パッド（１００）を着脱可能なパンツ型使い捨ておむつ（１）であって、防漏壁（５０）は、長手方向において外層シート（３０）の横方向の長さが最小となる位置に、接合部（６１）を有し、横方向において吸収性本体（１０）及び防漏壁（５０）を伸長させたときの、前記最小となる位置における、吸収性本体（１０）の横方向の幅と、吸収性本体（１０）の横方向の端と接合部（６１）との間の距離の２倍との合計値は、横方向において吸収パッド（１００）を伸長させたときの、前記最小となる位置における、吸収パッド（１００）の横方向の幅と、吸収パッド（１００）の厚さの２倍との合計値よりも大きく、おむつ（１）に吸収パッド（１００）を挿入したときに、接合部（６１）の横方向における内側端同士の間隔が、吸収パッド（１００）の横方向の幅よりも狭くなる部分を有する。
【選択図】図１０【図１】
0005987131.tif 000002
【図２】
0005987131.tif 000003
【図３】
0005987131.tif 000004
【図４】
0005987131.tif 000005
【図５】
0005987131.tif 000006
【図６】
0005987131.tif 000007
【図７】
0005987131.tif 000008
【図８】
0005987131.tif 000009
【図９】
0005987131.tif 000010
【図１０】
0005987131.tif 000011
【図１１】
0005987131.tif 000012
【図１２】
0005987131.tif 000013